(57)【要約】【課題】入賞装置の前方部に光源を配設することにより、光源より発せられる光の光量を低下させることなくそのまま入賞装置の前面より放射することを実現すること。【解決手段】遊技盤１００の表面に対してほぼ垂直に流下される遊技球Ｂを受け入れる開口部１１と、該開口部１１に受け入れられた遊技球Ｂを遊技盤の裏面側へと案内する案内通路１２と、該案内通路内部の底板部１３に、前記開口部１１よりほぼ垂直方向に進入された遊技球の流下方向を変更する通路変更部１４が形成されたパチンコ遊技機の遊技盤に配設される入賞装置１において、前記通路変更部１４が、該通路変更部１４に形成された遊技球の流下方向を横方向に変更する方向変更部を備えた通路変更凸条部１４０によって構成され、前記通路変更凸条部１４０内に形成された凹部１５内に光源２が配設されている入賞装置。【選択図】図２
2005125017.tif 000002
【特許請求の範囲】
【請求項１】
遊技盤の表面に対してほぼ垂直に流下される遊技球を受け入れる開口部と、該開口部に受け入れられた遊技球を遊技盤の裏面側へと案内する案内通路と、該案内通路内部の底板部に、前記開口部よりほぼ垂直方向に進入された遊技球の流下方向を変更する通路変更部が形成されたパチンコ遊技機の遊技盤に配設される入賞装置において、
前記通路変更部における前面側に配設された飾り板の近接部に、光源が配設されている
ことを特徴とする入賞装置。
【請求項２】
前記請求項１において、
前記通路変更部が、該通路変更部に形成された遊技球の流下方向を変更する方向変更部を備えた通路変更凸条部によって構成され、
前記通路変更凸条部内に形成された凹部内に光源が配設されている
ことを特徴とする入賞装置。
【請求項３】
前記請求項２において、
前記通路変更凸条部が、間隔を隔てて並設された２本の凸条によって構成され、
該２本の凸条の間に形成される空隙内に光源が付設された電飾基板の一部又は全部を収納する収納空間が形成されている
ことを特徴とする入賞装置。
【請求項４】
前記請求項３において、
前記入賞装置の前面側に配設された飾り板に、前記電飾基板に付設された前記光源が臨むように小孔が形成されている
ことを特徴とする入賞装置。
【請求項５】
前記請求項４において、
前記光源の前面側に、該光源より発せられた光を拡散又は導光するレンズ部材が配設されている
ことを特徴とする入賞装置。
【請求項６】
前記請求項４において、
前記飾り板の前記小孔に、該光源より発せられた光を拡散又は導光するレンズ部材が配設されている
ことを特徴とする入賞装置。
【請求項７】
前記請求項４において、
前記光源より発せられた光を拡散するとともに、前記飾り板の前記小孔およびその他の部分に導光するレンズ部材が配設されている
ことを特徴とする入賞装置。
【発明の詳細な説明】
【技術分野】
【０００１】
本発明は、遊技盤の表面に対してほぼ垂直に流下される遊技球を受け入れる開口部と、該開口部に受け入れられた遊技球を遊技盤の裏面側へと案内する案内通路と、該案内通路内部の底板部に、前記開口部よりほぼ垂直方向に進入された遊技球の流下方向を変更する通路変更部が形成されたパチンコ遊技機の遊技盤に配設される入賞装置において、前記通路変更部に、光源が配設されている入賞装置に関するものである。
【背景技術】
【０００２】
従来の入賞装置では、図１１に示されるようにポケット部Ｐ内に遊技球Ｂの流下方向を変える１本の傾斜案内部Ｇが配設されるものであるため、入賞装置の前面に近い部位に光源を配置することが出来ないので、入賞装置の前面にレンズ面を備えると共に、その後方部にレンズ面へ光を導光させる導光部が設けられ、さらにその導光部の後方に光源が配設された電飾基板を設けて、この光源から発せられた光を前記導光部を介し、前記レンズ面に表示するように構成されていた。  
【０００３】
すなわち従来の入賞装置においては、ポケット部の前面板部の垂直方向に進入された遊技球の流下方向を水平方向に変更する通路変更部の下部に凸レンズ部を形成し、該凸レンズ部の後方に透明な光拡散板を配設するとともに、該光拡散板の後方に光源を配設して、前記光源の光が前記光拡散板を介して前面から視認できるようにしたものである。
【特許文献１】特開２００３−０６２２０６号公報
【発明の開示】
【発明が解決しようとする課題】
【０００４】
しかしながら、このような上記従来の入賞装置の構成は、該入賞装置内の前方部に光源を備えた電飾基板を収納するスペースが無いため、光源からの光をやむなく導光部に入射させてレンズ面に導光しており、この手法ではレンズ面より発せられる光の光度が低くなってしまうという問題点があった。
【０００５】
また従来の入賞装置においては、ポケット部の前面板部の垂直方向に進入された遊技球の流下方向を水平方向に変更する通路変更部の下部に凸レンズ部を形成し、該凸レンズ部の後方に透明な光拡散板を配設するとともに、該光拡散板の後方に光源を配設して、前記光源の光が前記光拡散板を介して前面から視認できるようにしたものであるので、前記光源から前記ポケット部の前面板部までの間に距離があるために、前記光源が発生する光量に対して到達する光量（照度）が低下するという問題があった。
【０００６】
本発明者は、遊技盤の表面に対してほぼ垂直に流下される遊技球を受け入れる開口部と、該開口部に受け入れられた遊技球を遊技盤の裏面側へと案内する案内通路と、該案内通路内部の底板部に、前記開口部よりほぼ垂直方向に進入された遊技球の流下方向を変更する通路変更部が形成されたパチンコ遊技機の遊技盤に配設される入賞装置において、前記通路変更部における前面側に配設された飾り板の近接部に、光源を配設するという技術的思想に着眼し、更に研究開発を重ねた結果、入賞装置の前方部に光源を配設することにより、光源より発せられる光の光量を低下させることなくそのまま入賞装置の前面より放射することを実現するという目的を達成する本発明に到達した。
【課題を解決するための手段】
【０００７】
本発明（請求項１に記載の第１発明）の入賞装置は、
遊技盤の表面に対してほぼ垂直に流下される遊技球を受け入れる開口部と、該開口部に受け入れられた遊技球を遊技盤の裏面側へと案内する案内通路と、該案内通路内部の底板部に、前記開口部よりほぼ垂直方向に進入された遊技球の流下方向を変更する通路変更部が形成されたパチンコ遊技機の遊技盤に配設される入賞装置において、
前記通路変更部における前面側に配設された飾り板の近接部に、光源が配設されている
ものである。
【０００８】
本発明（請求項２に記載の第２発明）の入賞装置は、
前記第１発明において、
前記通路変更部が、該通路変更部に形成された遊技球の流下方向を変更する方向変更部を備えた通路変更凸条部によって構成され、
前記通路変更凸条部内に形成された凹部内に光源が配設されている
ものである。
【０００９】
本発明（請求項３に記載の第３発明）の入賞装置は、
前記第２発明において、
前記通路変更凸条部が、間隔を隔てて並設された２本の凸条によって構成され、
該２本の凸条の間に形成される空隙内に光源が付設された電飾基板の一部又は全部を収納する収納空間が形成されている
ものである。
【００１０】
本発明（請求項４に記載の第４発明）の入賞装置は、
前記第３発明において、
前記入賞装置の前面側に配設された飾り板に、前記電飾基板に付設された前記光源が臨むように小孔が形成されている
ものである。
【００１１】
本発明（請求項５に記載の第５発明）の入賞装置は、
前記第４発明において、
前記光源の前面側に、該光源より発せられた光を拡散又は導光するレンズ部材が配設されている
ものである。
【００１２】
本発明（請求項６に記載の第６発明）の入賞装置は、
前記第４発明において、
前記飾り板の前記小孔に、該光源より発せられた光を拡散又は導光するレンズ部材が配設されている
ものである。
【００１３】
本発明（請求項７に記載の第７発明）の入賞装置は、
前記第４発明において、
前記光源より発せられた光を拡散するとともに、前記飾り板の前記小孔およびその他の部分に導光するレンズ部材が配設されている
ものである。
【発明の効果】
【００１４】
上記構成より成る第１発明の入賞装置は、遊技盤の表面に対してほぼ垂直に流下される遊技球を受け入れる開口部と、該開口部に受け入れられた遊技球を遊技盤の裏面側へと案内する案内通路と、該案内通路内部の底板部に、前記開口部よりほぼ垂直方向に進入された遊技球の流下方向を変更する通路変更部が形成されたパチンコ遊技機の遊技盤に配設される入賞装置において、前記通路変更部における前面側に配設された飾り板の近接部に、光源が配設されているので、入賞装置の前方部に光源を配設することにより、光源より発せられる光の光量を低下させることなくそのまま入賞装置の前面より放射することを実現するという効果を奏する。
【００１５】
上記構成より成る第２発明の入賞装置は、前記第１発明において、前記通路変更部が、該通路変更部に形成された遊技球の流下方向を変更する方向変更部を備えた通路変更凸条部によって構成され、前記通路変更凸条部内に形成された凹部内に光源が配設されているので、入賞装置の前方部に光源を配設することにより、光源より発せられる光の光量を低下させること無くそのまま入賞装置の前面より放射することを実現するという効果を奏する。
【００１６】
上記構成より成る第３発明の入賞装置は、前記第２発明において、前記通路変更凸条部が、間隔を隔てて並設された２本の凸条によって構成され、該２本の凸条の間に形成される空隙内に光源が付設された電飾基板の一部又は全部を収納する収納空間が形成されているので、シンプルな構成により前記光源を収納する収納空間を実現し、光源より発せられる光の光量を低下させること無くそのまま入賞装置の前面より放射することを実現するとともに、前記光源と遊技球との干渉を回避するという効果を奏する。
【００１７】
上記構成より成る第４発明の入賞装置は、前記第３発明において、前記入賞装置の前面側に配設された飾り板に、前記電飾基板に付設された前記光源が臨むように小孔が形成されているので、前記電飾基板に付設された前記光源が放射した光を飾り板に形成された前記小孔を介して直接充分な光量で放射することが出来るという効果を奏する。
【００１８】
上記構成より成る第５発明の入賞装置は、前記第４発明において、前記光源の前面側に配設された前記レンズ部材が、該光源より発せられた光を拡散又は導光して、前記小孔を介して直接充分な光量で放射することが出来るという効果を奏する。
【００１９】
上記構成より成る第６発明の入賞装置は、前記第４発明において、前記飾り板の前記小孔に配設された前記レンズ部材が、該光源より発せられた光を拡散又は導光して放射するので、直接充分な光量で放射することが出来るという効果を奏する。
【００２０】
上記構成より成る第７発明の入賞装置は、前記第４発明において、前記レンズ部材が、前記光源より発せられた光を拡散するとともに、前記飾り板の前記小孔およびその他の部分に導光するので、前記小孔を介して直接充分な光量で放射することが出来るという効果を奏するとともに、その他の部分からも放射することを可能にするという効果を奏する。
【発明を実施するための最良の形態】
【００２１】
以下本発明の最良の実施の形態につき実施例に基づき、図面を用いて説明する。
【実施例１】
【００２２】
本第１実施例の入賞装置は、図１ないし図６に示されるように遊技盤１００の表面に対してほぼ垂直に流下される遊技球Ｂを受け入れる開口部１１と、該開口部１１に受け入れられた遊技球Ｂを遊技盤の裏面側へと案内する案内通路１２と、該案内通路内部の底板部１３に、前記開口部１１よりほぼ垂直方向に進入された遊技球の流下方向を変更する通路変更部１４が形成されたパチンコ遊技機の遊技盤に配設される入賞装置１において、前記通路変更部１４が、該通路変更部１４に形成された遊技球の流下方向を横方向に変更する方向変更部を備えた通路変更凸条部１４０によって構成され、前記通路変更凸条部１４０内に形成された凹部１５内に光源２が配設されている。
【００２３】
前記入賞装置１は、図３ないし図６に示されるように遊技盤１００に取り付けられる取付け面１０と、該取付け面１０から所定距離隔てて前方に突出した両側壁１０Ｓと、該両側壁１０Ｓの先端を連結する前面壁１７０とから成るポケット本体１０１を備えている。
【００２４】
前記通路変更凸条部１４が、図２ないし図６に示されるように前記入賞装置１の前記前面壁１７０の後面１７０１において、横方向における間隔を隔てて上下方向に並設された２本の凸条１４１、１４２によって構成され、遊技球の流下方向を横方向に変更する方向変更部を備えるものである。
【００２５】
２本の凸条１４１、１４２は、図４ないし図６に示されるように上流側に角度の大きな第１の傾斜部１４１１、１４２１が形成され、下流側に角度の小さな第２の傾斜部１４１２、１４２２が形成され、角度の異なる２個の傾斜部によって構成される。
【００２６】
該２本の凸条１４１、１４２の間に形成される空隙１５０内に光源２が付設された電飾基板２０の一部である上端部２１を収納する収納空間が形成されている。
【００２７】
前記入賞装置１０の前面側に配設された飾り板１６および前面壁１７０に、前記電飾基板２０に付設された前記光源２が臨み、挿入されるように小孔１７が形成されているものである。前記電飾基板２０は、ハーネスを介して駆動制御回路（図示せず）に接続されている。
【００２８】
前記入賞装置１０の前面壁１７０の後面には、後方に突出して、前記光源２が配設された前記電飾基板２０の上端を着脱自在に係止する係止爪１７１が一体的に形成されている。
【００２９】
上記構成より成る本第１実施例の入賞装置は、まず遊技が開始され遊技球が打ち出されると、該遊技球Ｂのうち何れかが前記釘を介して前記入賞装置１の前記開口部１１を通過すると、前記光源２としての例えば発光ダイオードが発光して点灯し、前記入賞装置１の発光箇所である小孔１７を介して照射される。
【００３０】
この際に前記光源２からの照射光は、遊技者より直接視認され、光量（光度）の高い電飾演出を実現するものである。
【００３１】
本第１実施例の入賞装置は、前記通路変更部１４における前面側に配設された飾り板１６に近接する前面部に、前記光源２が配設されているので、前記入賞装置１の前方部に前記光源２を配設することにより、光源２より発せられる光の充分な光量を低下させること無くそのまま入賞装置の前面より放射することを実現するという効果を奏する。
【００３２】
すなわち本第１実施例の入賞装置は、前記光源２より発せられる光の光量を低下させることなくそのまま前記入賞装置１の前面より充分な光量で放射することを実現するものであり、前記光源２から発せられた光が外部へと射出される間に経る過程が上述した従来と比較して格段に短くなり、前記光源２からの光が外部へ射出される間に経る過程が短くなったことによって、従来品と比較して外部に射出される光の光量（光度、照度）を高くすることができるという効果を奏する。
【００３３】
さらに本第１実施例の入賞装置は、具体的には従来品に見られる光源２を前記入賞装置１の前面から離れた位置に配置せざるを得ないために用いていた導光部を不要にするため、部材点数の減少やコストダウンおよび省エネルギーを実現するという効果を奏する。
【００３４】
本第１実施例の入賞装置は、前記通路変更凸条部１４が、間隔を隔てて並設された２本の凸条１４１、１４２によって構成され、該２本の凸条１４１、１４２の間に形成される空隙１５内に前記光源２が付設された電飾基板２０の一部を収納する収納空間が形成されているので、シンプルな構成により前記光源２を収納する収納空間を実現するとともに、前記光源と遊技球との干渉を回避するという効果を奏する。
【００３５】
本第１実施例の入賞装置は、前記２本の凸条１４１、１４２が、図４ないし図６に示されるように上流側に角度の大きな第１の傾斜部１４１１、１４２１が形成され、下流側に角度の小さな第２の傾斜部１４１２、１４２２が形成され、角度の異なる２個の傾斜部によって構成され、垂直に流下された遊技球Ｂを第１の傾斜部１４１１、１４２１および第２の傾斜部１４１２、１４２２によって２段階に段階的に横方向に方向を変換するため、遊技球Ｂの方向変換を容易かつ確実にするという効果を奏する。
【実施例２】
【００３６】
本第２実施例の入賞装置は、図７および図８に示されるように前記光源と前記入賞装置１の前記前面壁１７０との間にレンズ部材３を介挿する点が、上記第１実施例との相違点てあり、以下相違点を中心に説明する。
【００３７】
すなわち前記レンズ部材３は、前記光源２の前面側に、前記前面壁１７０に沿って上下方向に配設された前記電飾基板２０の上端に付設された該光源２より発せられた光を拡散又は導光するように配設されているものである。
【００３８】
前記前面壁１７０および前面壁１７０の前面に配設された前記飾り板１６の前記小孔１７、１６１に対応する位置に、該光源より発せられた光を拡散又は導光する前記レンズ部材３の上端にレンズ突部３１が配設され、装着時に前記小孔１７、１６１内に介挿されているものである。
【００３９】
前記前面壁１７０および前面壁１７０の前面に配設された前記飾り板１６の下部の幅広開口１８、１６２に対応する位置に、前記レンズ部材３の下部には面積の大きな幅広突部３２が配設され、装着時に突出するように構成されているものである。
【００４０】
前記幅広突部３２が、前記小孔以外のその他の部分に導光する前記レンズ部材３を構成するものである。
【００４１】
上記構成より成る本第２実施例の入賞装置は、前記光源２の前面側に配設された前記レンズ部材３が、該光源２より発せられた光を拡散又は導光して、前記小孔１７を介して直接充分な光量で放射することが出来るという効果を奏する。
【００４２】
また本第２実施例の入賞装置は、前記飾り板１６の前記小孔１７内に介挿された前記レンズ部材の前記レンズ突部３１が、該光源２より発せられた光を拡散又は導光して放射するので、直接充分な光量で放射することが出来るという効果を奏する。
【００４３】
さらに本第２実施例の入賞装置は、前記レンズ部材３が、前記光源２より発せられた光を拡散するとともに、前記飾り板１６の前記小孔１７およびその他の部分に導光するので、前記小孔を介して直接充分な光量で放射することが出来るという効果を奏するとともに、その他の部分としての前記飾り板１６の下部の幅広開口１８、１６２に対応する位置に突設された前記面積の大きな幅広突部３２からも放射することを可能にするという効果を奏する。
【実施例３】
【００４４】
本第３実施例の入賞装置は、図９および図１０に示されるように通路変更部１４を円弧状の通路変更凸条部１４３によって構成するとともに、通路変更凸条部１４３の下部に形成された凹部１５３内に光源２が配設されている点が、上記第１実施例との相違点てあり、以下相違点を中心に説明する。
【００４５】
前記円弧状の通路変更凸条部１４３は、垂直方向に進入された遊技球Ｂの流下方向をを滑らかに変更するものであり、凸条部１４３は、遊技球Ｂの曲率に対応する曲率を有する左右方向における凹部が形成されている。
【００４６】
前記円弧状の通路変更凸条部１４３の下部に凹部１５３が形成され、該凹部１５３内に前記光源２が上端に付設された電飾基板２０が介挿配置され、該凹部１５３の上端部と通路変更凸条部１４３の前記凹部１５３とを連通する貫通穴１５４が穿設されている。
【００４７】
上記構成より成る本第３実施例の入賞装置は、通路変更部１４を円弧状の通路変更凸条部１４３によって構成するとともに、通路変更凸条部１４３の下部に形成された凹部１５３内に光源２が配設されているので、前記光源２より発せられる光の充分な光量を低下させることなくそのまま入賞装置の前面より放射することを実現するという効果を奏する。
【００４８】
また本第３実施例の入賞装置は、前記通路変更部１４が前記円弧状の通路変更凸条部１４３によって構成され、前記開口部１１から垂直方向に進入された遊技球Ｂの流下方向を滑らかに変更するとともに、前記凸条部１４３が、遊技球Ｂの曲率に対応する曲率を有する左右方向における凹部が形成されているので、遊技球Ｂを安定且つ滑らかにガイドするという効果を奏する。
【００４９】
さらに本第３実施例の入賞装置は、凹部１５３の上端部と通路変更凸条部１４３の前記凹部１５３とを連通する貫通穴１５４が穿設されているので、、空気の循環を可能にして、熱気を抜くことを可能にするとともに、前記光源２からの光を上方へ漏らすことを可能にするものである。
【００５０】
また本第３実施例の入賞装置は、前記通路変更部１４が前記円弧状の厚肉の通路変更凸条部１４３によって構成されているので、前記通路変更部１４の強度を高めるとともに、遊技球Ｂの方向を滑らかに変更してガイドすることと相まって耐久性を高めるという利点を有する。
【００５１】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５２】
上述の第１実施例においては、一例として遊技球Ｂが前記入賞装置１の前記開口部１１を通過すると、前記光源２が点灯する例について説明したが、本発明としてはそれらに限定されるものでは無く、以下に述べるようにゲームの展開に応じて前記光源２が点灯する色を変化させる実施例を採用することが出来る。
【００５３】
遊技球が入賞装置の検出スイッチに検出される際に取得される大当り判定乱数値に対応させ、複数の電飾演出すなわち電飾演出１及び電飾演出２またはその組み合わせ、さらには演出開始時間及び継続時間を変化させるものである。
【００５４】
大当り判定乱数値と各演出の対応表を説明すると前記大当り判定乱数値が１〜１０（確変大当りとなる乱数値）が取得された場合は各々２５％の割合で演出１、演出２、演出３、演出４が実行され、１１〜２０（通常大当りとなる乱数値）が取得された場合は各々約３３％の割合で演出１、演出２、演出３、が実行され、２１〜５０（ハズレとなる乱数値）が取得された場合は各々５０％の割合で演出１、演出２が実行され、５１〜１５０（ハズレとなる乱数値）が取得された場合は１００％の割合で演出１が実行されるように構成し、一例として演出１には前記電飾演出２（色は赤く発光）を、演出２には前記電飾演出１（色は青く発光）を、演出３には前記電飾演出１を演出開始時間を遅らせた演出を、演出４には前記電飾演出１と前記電飾演出２を同時に点滅させる演出を対応させる。
【００５５】
上述の構成を備えるパチンコ遊技機では、通常遊技では電飾演出２が最も発生しやすいが、電飾演出１が発生した際には遊技者は視覚的な興趣を感じることに加え、大当り期待度も高いという遊技性をも楽しむことができ、前記演出３が発生した際には発光タイミングが遅れるという事態が遊技性として大当り確定と対応していることを予め分かっている（パチンコ遊技機にその旨を記載）ので、さらに期待感は高揚する。さらに前記演出４が発生した際には、パチンコ遊技中での最高特典となる確変大当りが付与されることが確定する演出なので、上記期待感はさらに高まる。
【００５６】
上述の実施例においては、発光演出の種類が従来あるパチンコ遊技機に比べ増加させてあり、さらに前記発光演出と遊技性とは深く関わるよう構成してあるので、遊技者は遊技中のありきたりの発光演出に対して興趣を減退させことはなく、前記発光演出に対して期待感を持つことができるという利点を有する。
【産業上の利用可能性】
【００５７】
前記入賞装置の前方部に前記光源を配設することにより、光源より発せられる光の充分な光量を低下させること無くそのまま入賞装置の前面より放射することを実現するとともに、部材点数の減少やコストダウンおよび省エネルギーを実現する用途にも適用できる。
【図面の簡単な説明】
【００５８】
【図１】本発明の第１実施例の入賞装置を備えるパチンコ遊技機を示す正面図である。
【図２】本第１実施例の入賞装置を示す正面図、該正面図におけるＸ−Ｘ線に沿う側断面図、および平面図である。
【図３】本第１実施例の入賞装置の前面を示す正面斜視図である。
【図４】本第１実施例の入賞装置の後面を示す後面斜視図である。
【図５】本第１実施例の入賞装置を示す平面図である。
【図６】本第１実施例の入賞装置を示す図５中Ａ−Ａ線に沿う側断面図である。
【図７】本発明の第２実施例の入賞装置を示す正面図である。
【図８】本第２実施例の入賞装置を示す図７中Ｂ−Ｂ線に沿う側断面図である。
【図９】本発明の第３実施例の入賞装置を示す後面斜視図である。
【図１０】本第３実施例の入賞装置を示す図９中Ｃ−Ｃ線に沿う側断面図である。
【図１１】従来の入賞装置を示す正面図、側断面図、および平面図である。
【符号の説明】
【００５９】
１  入賞装置
２  光源
Ｂ  遊技球
１００  遊技盤
１１  開口部
１２  案内通路
１３  案内通路内部の底板部
１４  通路変更部
１４０  通路変更凸条部
１５  凹部
【図１】
2005125017.tif 000003
【図２】
2005125017.tif 000004
【図３】
2005125017.tif 000005
【図４】
2005125017.tif 000006
【図５】
2005125017.tif 000007
【図６】
2005125017.tif 000008
【図７】
2005125017.tif 000009
【図８】
2005125017.tif 000010
【図９】
2005125017.tif 000011
【図１０】
2005125017.tif 000012
【図１１】
2005125017.tif 000013